(57)【要約】【課題】リアプロジェクタの輸送に際して、筐体内部の反射ミラー等の損傷を防ぐことのできるリアプロジェクタの梱包構造を提供する。【解決手段】リアプロジェクタ１は、箱状側面のいずれかに露出してスクリーン２Ｂが設けられ、内部に反射ミラー２Ａが収納される筐体を備え、この筐体内部に、膨張後にエアバッグ様となる緩衝体８０が設けられ、膨張後の緩衝体８０は、ミラーケース２１内部の反射ミラー２Ａ及びスクリーン２Ｂに付勢している。【選択図】図７
2006208813.tif 000002
【特許請求の範囲】
【請求項１】
光源から射出された光束を変調し、画像情報に応じて光学像を形成する光変調装置と、該光学像を拡大投射する投射光学系を含む画像形成部と、前記投射光学系から投射された光学像を反射する反射ミラーと、この反射ミラーで反射された光学像が投影されるスクリーンとを備えたリアプロジェクタを梱包するリアプロジェクタの梱包構造であって、
前記リアプロジェクタは、箱状側面のいずれかに露出して前記スクリーンが設けられ、内部に前記反射ミラーが収納される筐体を備え、
前記筐体内部に設けられ、前記反射ミラー及び前記スクリーンを付勢する緩衝体を備えていることを特徴とするリアプロジェクタの梱包構造。
【請求項２】
請求項１に記載のリアプロジェクタの梱包構造において、
前記緩衝体は、内部に気体を注入すると膨張するエアバッグ様の緩衝体であることを特徴とするリアプロジェクタの梱包構造。
【請求項３】
請求項２に記載のリアプロジェクタの梱包構造において、
前記緩衝体は、内部に気体を注入する前は、前記筐体内部に設定された光学像の光路以外の部分に配置されていることを特徴とするリアプロジェクタの梱包構造。
【請求項４】
請求項２に記載のリアプロジェクタの梱包構造において、
前記エアバッグ様の緩衝体は、反射ミラー保持面及びスクリーン保持面を備えることを特徴とするリアプロジェクタの梱包構造。
【請求項５】
請求項１〜４のいずれかに記載のリアプロジェクタの梱包構造において、
前記緩衝体は、前記筐体から取り出し可能とされていることを特徴とするリアプロジェクタの梱包構造。
【請求項６】
光源から射出された光束を変調し、画像情報に応じて光学像を形成する光変調装置と、該光学像を拡大投射する投射光学系を含む画像形成部と、前記投射光学系から投射された光学像を反射する反射ミラーと、この反射ミラーで反射された光学像が投影されるスクリーンとを備えたリアプロジェクタを梱包するリアプロジェクタの梱包方法であって、
前記リアプロジェクタは、箱状側面のいずれかに露出して前記スクリーンが設けられ、内部に前記反射ミラーが収納される筐体を備え、
前記筐体組立時に、エアバッグ様の緩衝体を、気体を注入しない状態で、前記筐体内部に設定された光学像の光路以外の位置に設置する緩衝体設置工程と、
前記筐体組立後、前記緩衝体に気体を注入し、前記緩衝体により前記反射ミラー及び前記スクリーンを付勢する気体注入工程とを備えていることを特徴とするリアプロジェクタの梱包方法。
【請求項７】
請求項６に記載のリアプロジェクタの梱包方法において、
前記緩衝体設置工程及び前記気体注入工程の間には、組み立てられたリアプロジェクタの投影画像の画質を検査する画質検査工程を備えていることを特徴とするリアプロジェクタの梱包方法。
【発明の詳細な説明】
【技術分野】
【０００１】
本発明は、リアプロジェクタの梱包構造、及びリアプロジェクタの梱包方法に関する。
【背景技術】
【０００２】
近年、家庭内でのホームシアター等の用途として、リアプロジェクタが普及しつつある。このリアプロジェクタは、一般に、投射画像を形成する画像形成部と、画像形成部及び投射画像を反射する反射ミラー等を収納する箱状の筐体と、この筐体の箱状側面に露出して設けられる透過型スクリーンを備えて構成される。
画像形成部は、光源ランプと、この光源ランプから射出された光束を画像情報に応じて変調し光学像を形成する液晶パネル等の光学装置と、形成された光学像を拡大投射する投射レンズ等の投射光学系とを備えている。
画像形成部で形成された光学像は、ミラー等で反射して透過型スクリーン上に投影され、このスクリーンを透過した画像が観察される。
このようなリアプロジェクタは、さらに、スピーカ等の音響設備も筐体内に収納しており、これにより、音響設備を利用した臨場感あふれる大画面映像を観察できるものである。（例えば、特許文献１）。
【０００３】
【特許文献１】特開２００２−１０７６６３号公報
【発明の開示】
【発明が解決しようとする課題】
【０００４】
ところで、このようなリアプロジェクタを梱包して出荷する際、従来は、リアプロジェクタを完成させた後、梱包箱内部にリアプロジェクタを収納して、発泡スチロール等の緩衝体でリアプロジェクタを梱包箱内に固定して出荷している。
しかしながら、リアプロジェクタの筐体のミラーが収納される部分や、スクリーンが設けられる部分は、投影画像の光路を確保するために、何も設けない空間としなければならず、輸送中に作用した外力は、筐体内部に形成されたミラー保持部や、スクリーン保持部で保持する保持力に専ら頼らざるを得ず、これらの保持部の保持力を定置時に必要とされる保持力以上としなければならず、筐体製造に要する製造コストが高騰してしまうという問題がある。
【０００５】
本発明の目的は、リアプロジェクタの輸送時に反射ミラーの外れや損傷を効果的に防止できる梱包構造、及びその梱包方法を提供することにある。
【課題を解決するための手段】
【０００６】
本発明におけるリアプロジェクタの梱包構造は、光源から射出された光束を変調し、画像情報に応じて光学像を形成する光変調装置と、該光学像を拡大投射する投射光学系を含む画像形成部と、前記投射光学系から投射された光学像を反射する反射ミラーと、この反射ミラーで反射された光学像が投影されるスクリーンとを備えたリアプロジェクタを梱包するリアプロジェクタの梱包構造であって、前記リアプロジェクタは、箱状側面のいずれかに露出して前記スクリーンが設けられ、内部に前記反射ミラーが収納される筐体を備え、
前記筐体内部に設けられ、前記反射ミラー及び前記スクリーンを付勢する緩衝体を備えていることを特徴とする。
【０００７】
本発明によれば、リアプロジェクタの筐体内部に緩衝体が配設されており、この緩衝体が反射ミラーとスクリーンに付勢して、これらを保護しているので、該リアプロジェクタを輸送・設置する際に多少の振動があったとしても、反射ミラーが外れたり、このミラーがスクリーンにあたって傷をつけるなどのトラブルをなくすことができる。
【０００８】
本発明では、前記緩衝体は、内部に気体を注入すると膨張するエアバッグ様の緩衝体であることが好ましい。
本発明によれば、リアプロジェクタの組み立て時等に、内部に気体を注入すると膨張するエアバッグ様の緩衝体を配置することでことで、容易にリアプロジェクタ内部を保護する機能を発揮させることができる。
【０００９】
本発明では、前記緩衝体は、内部に気体を注入する前は、前記筐体内部に設定された光学像の光路以外の部分に配置されていることが好ましい。
本発明によれば、リアプロジェクタの筐体組立後に行う画質検査において、緩衝体の存在が光路を遮ることがないため、円滑に画質検査を行うことができる。
【００１０】
本発明では、前記エアバッグ様の緩衝体は、反射ミラー保持面及びスクリーン保持面を備えることが好ましい。
本発明によれば、このエアバッグ様の緩衝体が反射ミラー保持面及びスクリーン保持面を備えているので、反射ミラーやスクリーンのほぼ全体を覆う形で密着でき、これらを振動や衝撃から十分に保護することができる。
【００１１】
本発明におけるリアプロジェクタの梱包方法は、光源から射出された光束を変調し、画像情報に応じて光学像を形成する光変調装置と、該光学像を拡大投射する投射光学系を含む画像形成部と、前記投射光学系から投射された光学像を反射する反射ミラーと、この反射ミラーで反射された光学像が投影されるスクリーンとを備えたリアプロジェクタを梱包するリアプロジェクタの梱包方法であって、前記リアプロジェクタは、箱状側面のいずれかに露出して前記スクリーンが設けられ、内部に前記反射ミラーが収納される筐体を備え、
前記筐体組立時に、エアバッグ様の緩衝体を、気体を注入しない状態で、前記筐体内部に設定された光学像の光路以外の位置に設置する緩衝体設置工程と、前記筐体組立後、前記緩衝体に気体を注入し、前記緩衝体により前記反射ミラー及び前記スクリーンを付勢する気体注入工程とを備えていることを特徴とする。
【００１２】
本発明のプロジェクタの梱包方法によれば、筐体組立時に前記した緩衝体設置工程があるため、緩衝体の設置に関して筐体が邪魔にならず、円滑に行うことができる。
また、緩衝体を、気体を注入しない状態で、前記筐体内部に設定された光学像の光路以外の位置に設置するので、リアプロジェクタの筐体組立後に光学像検査等を行っても、この緩衝体が邪魔にならない。
【００１３】
本発明では、リアプロジェクタ輸送後の梱包解除時、予め前記筐体に形成された開口から前記緩衝体中の気体を脱気し、前記緩衝体を前記筐体から取り外す緩衝体脱気工程とを備えていることが好ましい。
本発明によれば、梱包解除時に予め前記筐体に形成された開口から前記緩衝体中の気体を脱気した後に筐体から取り出すので、リアプロジェクタの筐体を開く必要がなく、簡便に梱包を解除することができる。
また、役目を終えた緩衝体を取り出すことで、投射レンズからスクリーンに至る投射光の光路内に緩衝体が残らず、リアプロジェクタを正常に使用することが可能となる。
【００１４】
本発明では、前記緩衝体設置工程及び前記気体注入工程の間には、組み立てられたリアプロジェクタの投影画像の画質を検査する画質検査工程を備えていることが好ましい。
気体注入前であるので、緩衝体はまだ膨張していないため光路を邪魔することがない。また、画質検査終了後は、この緩衝体に気体を注入するだけで緩衝体としての機能を発揮させることができ、すみやかに輸送工程に移すことができる。
【発明を実施するための最良の形態】
【００１５】
以下、本発明の一実施形態に係るリアプロジェクタを図面に基づいて説明する。
図１は、本実施形態のリアプロジェクタ１を正面側から見た斜視図である。また、図２は、リアプロジェクタ１を背面側から見た図であり、図３は、当該リアプロジェクタ１を左側面から見た図である。なお、図３でいう左側とは、リアプロジェクタ１を正面から見た場合の左側を指す。
リアプロジェクタ１は、光源から射出された光束を、入力する画像情報に応じて変調して光学像を形成し、形成した光学像を、当該リアプロジェクタ１に設けられた透光性のスクリーン２Ｂに拡大投射するものである。
【００１６】
（１）外観構成
リアプロジェクタ１は、図１から図３に示すように、正面側から見て略長方形状を有し、縦断面略三角形状を有する上部キャビネット２と、この上部キャビネット２を下方から支える下部キャビネット３を備えて構成されている。これら上部キャビネット２及び下部キャビネット３は、互いにねじ等により固定されている。
このうち、上部キャビネット２は、図１に示すように、内部に後述する反射ミラー２Ａ（図４）を収納するミラーケース２１と、スクリーン２Ｂを保持するフレーム枠２２とを備えて構成される。
また、下部キャビネット３は、上部キャビネット２を支持するとともに、リアプロジェクタ１の主要な構成部品を内部に収納する平面視略台形状の箱型筐体である。
【００１７】
（1-1）リアプロジェクタ１の正面構成
リアプロジェクタ１の正面側、すなわち、上部キャビネット２の正面側には、図１に示すように、フレーム枠２２が配置されている。
フレーム枠２２は、後述するミラーケース２１（図２）の正面側の寸法と略同じ大きさで正面視略長方形状に形成され、当該ミラーケース２１の正面側に、ねじ等により固定される。
このフレーム枠２２は、前述のように、光学像が投射されるスクリーン２Ｂを保持する。このため、フレーム枠２２の略中央には、スクリーン２Ｂの光学像投射領域と略同じ大きさの略長方形状の開口部２２１が形成され、当該開口部２２１からスクリーン２Ｂが露出する。また、この開口部２２１の左右両側には、背面側にそれぞれ２個のスピーカ（図示省略）が配置されたスピーカ設置部２２２，２２３が形成されている。
【００１８】
ここで、スクリーン２Ｂは、フレネルシート、レンチキュラーシート、ガラス板等の保護板を備えて構成されている。このうち、フレネルシートは、光学ユニットの投射レンズ４６（図４）から射出され、後述するミラー２Ａ（図４）で反射された光束を平行化する。また、レンチキュラーシートは、フレネルシートを透過して平行化された光束を、当該レンチキュラーシートによって拡散して、表示画像を適切に視認できるように構成されている。
【００１９】
下部キャビネット３の正面側には、略中央に略長方形状の開口部３１が形成され、上下方向に回動して、当該開口部３１を開放及び閉塞する蓋部材３１Ａが設けられている。
この開口部３１の内部には、詳しい図示を省略するが、正面側操作パネルとしてのフロントパネルが設けられている。このフロントパネルの左側部分には、音量調節や画質調整等を行う各種操作スイッチ、ＰＣ（Personal Computer）接続端子としてのＤ−Ｓｕｂ端子、ステレオ音声入力端子、ビデオ入力端子、Ｓ端子等が配設されている。また、フロントパネルの右側部分には、各種半導体メモリカードが挿入され、当該カードからデータを読み取るカードリーダが配設されている。このような開口部３１の右側には、電源スイッチ３２が設けられている。これらフロントパネル及び電源スイッチ３２は、後述する制御基板５（図５）に電気的に接続されている。
また、下部キャビネット３の正面側左右両端には、脚部３３が形成されている。
【００２０】
（1-2）リアプロジェクタ１の背面構成
リアプロジェクタ１の背面側は、図２及び図３に示すように、上部キャビネット２のミラーケース２１及び下部キャビネット３により構成される。
このうち、ミラーケース２１は、縦断面略三角形状を有する合成樹脂製の箱型筐体である。このミラーケース２１は、リアプロジェクタ１の背面を構成する背面壁２１１と、この背面壁２１１の下方端部と接続される底面壁２１２と、これら背面壁２１１及び底面壁２１２の左右両側に位置する一対の側壁２１３，２１４とから構成されている。また、このミラーケース２１の正面側には、側壁２１３，２１４に略直交し、互いに離間する方向、すなわち、リアプロジェクタ１の左右方向に延出する延出部２１５，２１６が形成されている。
【００２１】
背面壁２１１は、長辺が上方に位置する平面視略台形状の形状を有し、後方の下側に向かって傾斜するように形成されている。この背面壁２１１の内側の面には、後述する反射ミラー２Ａ（図４）が所定角度で支持されている。
一対の側壁２１３，２１４は、背面壁２１１及び底面壁２１２の左右両端を接続するように形成されており、後方に向かうにしたがって内側に傾斜するように形成されている。
側壁２１３には、中央部に、略長方形状の開口２１３Ａが形成されている。この開口２１３Ａは、リアプロジェクタ１を輸送・設置後に内部の緩衝体８０（図７）を取り出すための取り出し口として機能するが、詳細は後述する。なお、開口２１３Ａは、着脱可能なカバー部材２１３Ｂにより常時覆われている。
延出部２１５，２１６は、側壁２１３，２１４の縦寸法より大きく形成され、略中央部分に、背面方向に向かって膨出した膨出部２１５Ａ，２１６Ａが形成されている。この膨出部２１５Ａ，２１６Ａは、フレーム枠２２のスピーカ設置部２２２，２２３（図１）と合わさって、スピーカエンクロージャを形成する。
【００２２】
下部キャビネット３の背面側には、図２における左側に、第１凹部３４が形成され、右側に、第２凹部３５が形成されている。
このうち、第１凹部３４には、略正方形状のランプ交換口３４Ａが形成され、当該ランプ交換口３４Ａは、ランプカバー３４Ｂによって覆われている。このランプ交換口３４Ａは、ランプカバー３４Ｂを取り外すことによって開放され、当該ランプ交換口３４Ａを介して、後述する光学ユニット４（図６）の光源装置４１（図６）を交換できるように構成されている。
第２凹部３５には、電源ケーブル３５Ａ、及び、背面側操作パネルとしてのリアパネル３５Ｂが設けられている。このうち、リアパネル３５Ｂには、具体的に、ＰＣ接続端子としてのＤＶＩ（Digital Visual Interface）端子、アンテナ入力端子、及び、複数系統のビデオ・音声入出力端子等が配設されている。
【００２３】
また、第１凹部３４及び第２凹部３５の下方には、下部キャビネット３内部に収納された電子部品を冷却する冷却空気を導入するための吸気口３６（３６Ａ，３６Ｂ）が形成されている。
さらに、第１凹部３４の左側及び第２凹部３５の右側には、排気口３７（３７Ａ，３７Ｂ，３７Ｃ）が形成されている。これら排気口３７Ａ〜３７Ｃは、下部キャビネット３内の各種装置を冷却した空気が排出される開口であり、スリット状に形成されている。
【００２４】
（２）内部構成
（2-1）上部キャビネット２の内部構成
図４は、上部キャビネット２の内部構成を示す図である。具体的に、図４は、図１の状態からスクリーン２Ｂを取り外したリアプロジェクタ１の正面側斜視図である。
上部キャビネット２の内部には、図４に示すように、下部キャビネット３内部に設けられた後述する光学ユニット４（図６）の投射レンズ４６から射出された光学像としての光束を反射する反射ミラー２Ａが収納される。この反射ミラー２Ａは、背面壁２１１（図２）の形状と略同じ平面視略台形状に形成された一般的なミラーであり、上部キャビネット２の背面壁２１１（図２）の内側に、台形状の長辺が上側となるように傾斜して取り付けられる。この反射ミラー２Ａの傾斜角は、正面側に取り付けられるスクリーン２Ｂ（図１）と後述する光学ユニット４（図６）の投射レンズ４６による映像の反射との設定された位置関係に基づいて設定されている。
【００２５】
また、ミラーケース２１の底面壁２１２は、長辺が前方側に位置する平面視略台形状の形状を有している。この底面壁２１２は、図２および図３に示すように、背面側に向かうにしたがって上方に傾斜するように形成され、背面側の端部で背面壁２１１（図２）と、また、左右の端部で側壁２１３，２１４（図２）と接続されている。
この底面壁２１２には、図４に示すように、正面側の略中央部分に略矩形状の切欠２１２Ａが形成されており、後述する光学ユニット４（図６）の投射レンズ４６が露出する。また、当該切欠２１２Ａの左側には、上方に向かって膨出した膨出部２１２Ｂが形成されている。この膨出部２１２Ｂは、後述する電源ユニット６（図５）に対応する位置に形成されている。
【００２６】
また、この底面壁２１２には、図７に示すように、リアプロジェクタ１の筐体を組み立てる際に、後述する緩衝体８０が設置される。その位置としては、プロジェクタ１の組立完了後、投射レンズ４６（図４）からの試験投影（画質検査）の邪魔にならず、また、開口２１３Ａに近い場所が選ばれる。詳細は後述するが、この開口２１３Ａは、上述の緩衝体８０に空気を注入したり、膨張後の緩衝体８０から空気を抜いたりするためのノズル口ともなり、また、膨張後の緩衝体８０から空気を抜いた後に、緩衝体８０を取り出すための取出口ともなる。
【００２７】
（2-2）下部キャビネット３の内部構成
図５は、下部キャビネット３の内部構成を示す図である。詳述すると、図５は、図２の状態から下部キャビネット３の背面側の外装ケースを取り外したリアプロジェクタ１の背面側斜視図である。
下部キャビネット３の内部には、光学像を形成する光学ユニット４、リアプロジェクタ１全体の駆動制御を行う制御基板５、及び、各電子部品に駆動電力を供給する電源ユニット６等を収納する。すなわち、光学像形成等のリアプロジェクタ１における主要な処理は、下部キャビネット３内に収納された構成部品によって実行される。
このうち、光学ユニット４は、下部キャビネット３の略中央から右側、すなわち、背面側から見て左側に配置されている。また、制御基板５及び電源ユニット６は、下部キャビネット３の略中央から左側、すなわち、背面側から見て略中央から右側に配置されている。
【００２８】
（３）光学ユニット４の構成
図６は、光学ユニット４の光学系を示す模式図である。
光学ユニット４は、光源装置４１から射出された光束を、液晶パネル４５１により入力する画像情報に応じて変調して光学像を形成し、当該形成した光学像を投射レンズ４６により反射ミラー２Ａ（図４）を介して、スクリーン２Ｂ（図１）に拡大投射するものである。
【００２９】
このような光学ユニット４は、図６に示すように、光源装置４１と、インテグレータ照明光学系４２と、色分離光学系４３と、リレー光学系４４と、電気光学装置４５と、投射光学系としての投射レンズ４６と、これらを内部に収納する光学部品用筐体４７と、投射レンズ４６を保持固定するヘッド体４８とを備えて構成されている。
【００３０】
光源装置４１は、放射光源としての光源ランプ４１１と、リフレクタ４１２と、防爆ガラス４１３と、これらを内部に収納する合成樹脂製の筐体である光源ランプボックス４１４とを備えて構成されている。そして、この光源装置４１は、光源ランプ４１１から射出された放射状の光線をリフレクタ４１２で反射して平行光線とし、この平行光線を、防爆ガラス４１３を介して外部へと射出する。
【００３１】
このうち、光源ランプ４１１は、本実施形態では、高圧水銀ランプが採用されている。なお、高圧水銀ランプ以外に、メタルハライドランプやハロゲンランプ等を採用することもできる。また、リフレクタ４１２としては、放物面鏡を採用しているが、放物面鏡の代わりに、平行化凹レンズ及び楕円面鏡を組み合わせたものを採用してもよい。
防爆ガラス４１３は、リフレクタ４１２の開口部分を閉塞する透光性のガラス部材であり、光源ランプ４１１が破裂した場合に、当該光源ランプ４１１の破片が、光源ランプボックス４１４から外部に飛散しないように構成されている。
【００３２】
インテグレータ照明光学系４２は、電気光学装置４５を構成する後述する３つの液晶パネル４５１の画像形成領域をほぼ均一に照明するための光学系である。このインテグレータ照明光学系４２は、図６に示すように、第１レンズアレイ４２１と、第２レンズアレイ４２２と、偏光変換素子４２３と、重畳レンズ４２４とを備えて構成されている。
第１レンズアレイ４２１は、光軸方向から見てほぼ矩形状の輪郭を有する小レンズがマトリクス状に配列された構成を有し、各小レンズは、光源装置４１から射出された光束を複数の部分光束に分割している。
第２レンズアレイ４２２は、第１レンズアレイ４２１と略同様な構成を有しており、小レンズがマトリクス状に配列された構成を有している。この第２レンズアレイ４２２は、重畳レンズ４２４とともに、第１レンズアレイ４２１の各小レンズの像を後述する液晶パネル４５１上に結像させる機能を有する。
【００３３】
偏光変換素子４２３は、第２レンズアレイ４２２と重畳レンズ４２４との間に配設される。このような偏光変換素子４２３は、第２レンズアレイ４２２からの光を略１種類の直線偏光に変換するものであり、これにより、電気光学装置４５での光の利用効率が高められている。
具体的に、偏光変換素子４２３によって略１種類の直線偏光に変換された各部分光は、重畳レンズ４２４によって最終的に電気光学装置４５の後述する液晶パネル４５１上にほぼ重畳される。偏光光を変調するタイプの液晶パネル４５１を用いたリアプロジェクタ１では、１種類の直線偏光しか利用できないため、他種類のランダムな偏光光を発する光源ランプ４１１からの光のほぼ半分が利用されない。そこで、偏光変換素子４２３を用いることにより、光源ランプ４１１から射出された光束を略１種類の直線偏光に変換し、電気光学装置４５での光の利用効率を高めている。
なお、このような偏光変換素子４２３は、例えば特開平８−３０４７３９号公報に紹介されている。
【００３４】
色分離光学系４３は、２枚のダイクロイックミラー４３１，４３２と、反射ミラー４３３とを備え、ダイクロイックミラー４３１，４３２によりインテグレータ照明光学系４２から射出された光束を赤（Ｒ）、緑（Ｇ）、青（Ｂ）の３色の色光に分離する機能を有している。
【００３５】
リレー光学系４４は、入射側レンズ４４１と、リレーレンズ４４３と、反射ミラー４４２，４４４とを備え、色分離光学系４３で分離された色光である赤色光を電気光学装置４５の後述する赤色光用の液晶パネル４５１Ｒまで導く機能を有している。
この際、色分離光学系４３のダイクロイックミラー４３１では、インテグレータ照明光学系４２から射出された光束の赤色光成分と緑色光成分とが透過するとともに、青色光成分が反射する。ダイクロイックミラー４３１によって反射した青色光は、反射ミラー４３３で反射し、フィールドレンズ４５５を通って、電気光学装置４５の後述する青色光用の液晶パネル４５１Ｂに到達する。このフィールドレンズ４５５は、第２レンズアレイ４２２から射出された各部分光束をその中心軸（主光線）に対して平行な光束に変換する。他の緑色光用、赤色光用の光変調装置の光束入射側に設けられたフィールドレンズ４５５も同様である。
【００３６】
また、ダイクロイックミラー４３１を透過した赤色光と緑色光のうちで、緑色光は、ダイクロイックミラー４３２によって反射し、フィールドレンズ４５５を通って、緑色光用の液晶パネル４５１Ｇに到達する。一方、赤色光は、ダイクロイックミラー４３２を透過してリレー光学系４４を通り、さらにフィールドレンズ４５５を通って、赤色光用の液晶パネル４５１Ｒに到達する。
なお、赤色光にリレー光学系４４が用いられているのは、赤色光の光路の長さが他の色
光の光路の長さよりも長いため、光の発散等による光の利用効率の低下を防止するためである。すなわち、入射側レンズ４４１に入射した部分光束をそのまま、フィールドレンズ４５５に伝えるためである。なお、リレー光学系４４には、３つの色光のうちの赤色光を通す構成としたが、これに限らず、青色光や緑色光を通す構成としてもよい。
【００３７】
電気光学装置４５は、入射された光束を画像情報に応じて変調してカラー画像を形成するものであり、色分離光学系４３で分離された各色光が入射される３つの入射側偏光板４５２と、各入射側偏光板４５２の光路後段に配置される光変調素子としての３つの液晶パネル４５１（赤色光用の液晶パネルを４５１Ｒ、緑色光用の液晶パネルを４５１Ｇ、青色光用の液晶パネルを４５１Ｂとする）と、各液晶パネル４５１の光路後段に配置される３つの射出側偏光板４５３と、色合成光学装置としてのクロスダイクロイックプリズム４５４とを備える。そして、これら入射側偏光板４５２、液晶パネル４５１、射出側偏光板４５３、及びクロスダイクロイックプリズム４５４は、一体的にユニット化されている。なお、入射側偏光板４５２、液晶パネル４５１、及び、射出側偏光板４５３は、具体的な図示は省略するが、所定の間隔を空けて配置している。
【００３８】
入射側偏光板４５２は、偏光変換素子４２３で偏光方向が略一方向に揃えられた各色光が入射され、入射された光束のうち、偏光変換素子４２３で揃えられた光束の偏光軸と略同一方向の偏光光のみ透過させ、その他の光束を吸収するものである。この入射側偏光板４５２は、例えば、サファイアガラスまたは水晶等の透光性基板上に偏光膜が貼付された構成を有している。
【００３９】
液晶パネル４５１は、一対の透明ガラス基板に電気光学物質である液晶が密閉封入された構成を有し、後述する制御基板から出力される駆動信号に応じて、画像形成領域内にある前記液晶の配向状態が制御され、入射側偏光板４５２から射出された偏光光束の偏光方向を変調する。
【００４０】
射出側偏光板４５３は、入射側偏光板４５２と略同様の構成であり、液晶パネル４５１の画像形成領域から射出された光束のうち、入射側偏光板４５２における光束の透過軸と直交する偏光軸を有する光束のみ透過させ、その他の光束を吸収するものである。
【００４１】
クロスダイクロイックプリズム４５４は、射出側偏光板４５３から射出された色光毎に変調された光学像を合成してカラー画像を形成する光学素子である。このクロスダイクロイックプリズム４５４は、４つの直角プリズムを貼り合わせた平面視正方形状をなし、直角プリズム同士を貼り合わせた界面には、２つの誘電体多層膜が形成されている。これら誘電体多層膜は、液晶パネル４５１Ｒ，４５１Ｂから射出され射出側偏光板４５３を介した各色光を反射し、液晶パネル４５１Ｇから射出され射出側偏光板４５３を介した色光を透過する。このようにして、各液晶パネル４５１Ｒ，４５１Ｇ，４５１Ｂにて変調された各色光が合成され、カラー画像が形成される。
【００４２】
投射レンズ４６は、鏡筒内に複数のレンズ、及び、入射光束を偏向するミラーが収納された構成を有し、電気光学装置４５から射出されたカラー画像を拡大して、反射ミラー２Ａ（図４）に向けて、すなわち、正面に向かって射出されたカラー画像を上方向に向けて、折り曲げて投射するものである。この投射レンズ４６は、電気光学装置４５の光束射出側に配置され、後述するヘッド体４８に固定されている。また、この投射レンズ４６は、図４に示すように、下部キャビネット３の正面側略中央に配置され、前述の上部キャビネット２の底面壁２１２に形成された切欠２１２Ａからミラーケース２１内部に露出する。
【００４３】
光学部品用筐体４７は、図６に示すように、内部に所定の照明光軸Ａが設定され、上述した光学部品４２〜４５を照明光軸Ａに対する所定位置に配置する。この光学部品用筐体４７は、図６に示すように、光源装置収納部材４７１と、部品収納部材４７２とを備えて構成されている。
【００４４】
光源装置収納部材４７１は、詳しい図示を省略するが、背面側に開口した断面略Ｕ字状を有する箱型に形成されている。この光源装置収納部材４７１に光源装置４１を収納する際には、当該光源装置収納部材４７１に対して光源ランプボックス４１４を正面側に向かってスライドさせる。また、光源装置収納部材４７１から光源装置４１を取り出す場合には、背面側に向かって光源ランプボックス４１４をスライドさせる。
この光源装置収納部材４７１は、部品収納部材４７２に接続されており、当該部品収納部材との接続部分には、光源装置４１の光源ランプ４１１から射出される光束が通過するように開口４７１Ａが形成されている。
【００４５】
部品収納部材４７２は、上方が開口した断面略Ｕ字状を有する合成樹脂製の箱型筐体として構成されている。この部品収納部材４７２は、前述のように、一端側に光源装置収納部材４７１が接続され、他端側に、電気光学装置４５および投射レンズ４６を保持固定するヘッド体４８が取り付けられる。このうち、光源装置収納部材４７１に接続される側の部品収納部材４７２の端部には、光源装置収納部材４７１に収納された光源装置４１から射出された光束が、部品収納部材４７２内を通過するように略矩形の開口４７２Ａが形成されている。
この部品収納部材４７２の内部には、複数の溝が形成され、当該溝に、前述の光学部品４２１〜４２４、４３１〜４３３、４４１〜４４４、４５５を、上方から嵌め込むようにして位置決め固定する。
【００４６】
この部品収納部材４７２において、光源装置４１の光源ランプ４１１から射出され内部で導光した光束を射出する平面視Ｕ字状の射出側端部の各端面には、図８に示すように、光束を通過させるための光束通過用開口としての切欠４７２Ｂがそれぞれ形成され、当該切欠４７２Ｂを閉塞するように切欠４７２Ｂの周縁部分にフィールドレンズ４５５が取り付けられる。
【００４７】
部品収納部材４７２の光束射出側の端部には、投射レンズ４６を保持固定するヘッド体４８が取り付けられる。
ヘッド体４８は、例えばアルミニウム合金またはマグネシウム合金等の金属材料から構成され、電気光学装置４５及び投射レンズ４６を一体化するとともに、一体化したユニットを光学部品用筐体４７に対して取り付けるものである。
このヘッド体４８は、詳しい図示を省略するが、側面視略逆Ｔ字状を有し、光束入射側の水平部４８１と、光束射出側の水平部４８２と、これら水平部４８１，４８２に挟まれ、当該水平部４８１，４８２から垂直に起立する垂直部４８３とから構成されている。
このうち、光束入射側の水平部４８１には、電気光学装置４５が固定され、光束射出側の水平部４８２には、投射レンズ４６が固定される。また、垂直部４８３には、電気光学装置４５から射出された光束を投射レンズ４６に導く開口４８３Ａが形成されている。
【００４８】
（４）制御基板５の構成
制御基板５は、投射レンズ４６（図４、図６）の左側、すなわち、図５における中央右寄りに縦置きに配置されており、ＥＭＩ（Electromagnetic Interference，電磁障害）を防止するため、複数の孔が形成された金属製のシールド部材で全体が覆われている。この制御基板５は、ＣＰＵ（Central Processing Unit）、ＲＯＭ（Read Only Memory）及びＲＡＭ（Random Access Memory）等を実装した回路基板として構成され、フロントパネル（図示省略）及びリアパネル３５Ｂ（図２）に設けられた各接続端子から入力した画像情報、及び、フロントパネルに配設された操作ボタンからの操作信号を処理して、光学ユニット４（図６）の液晶パネル４５１（図６）を含むリアプロジェクタ１全体の駆動制御を行う。
【００４９】
（５）リアプロジェクタ１の梱包構造
図７は、本実施形態におけるリアプロジェクタ１の梱包構造８を示す側面図である。
緩衝体８０は、リアプロジェクタ１の筐体組立時に、ミラーケース２１の底面壁２１２上であって、投射レンズ４６からスクリーン２Ｂに到る投射光の光路Ｌ以外の位置に設置される。この緩衝体８０は、内部に空気が充填される前の段階では、薄いシート状になっており、空気の充填量の増加に伴い外形寸法が三次元的に膨張するエアバッグ様の緩衝体である。
【００５０】
膨張後の緩衝体８０は、断面が三角形の略三角柱構造をしており、ミラーケース２１内部のほぼ全空間に渡って充満している。その結果、膨張後の緩衝体８０は、反射ミラー２Ａとスクリーン２Ｂに対してそれぞれ弾性的に付勢している。
緩衝体８０の材料としては、低密度ポリエチレン（ＬＤＰＥ）が用いられている
【００５１】
また、この膨張後の緩衝体８０は、反射ミラー２Ａ及びスクリーン２Ｂの形状に応じた構造部分として、反射ミラー保持面８０Ａ及びスクリーン保持面８０Ｂを備えている。それ故、膨張後の緩衝体８０は、反射ミラーやスクリーンのほぼ全面を覆う形で密着する。
また、緩衝体８０には、空気注入用のバルブ８１が設けられており、ミラーケース２１側面の開口２３１Ａから空気注入用のホースノズル９が接続できるようになっている。
【００５２】
（６）梱包方法
以下に、上述した梱包構造について梱包方法を詳述する。
図８は、リアプロジェクタ１の製造・組立現場において作業者が行う梱包方法を示すフロー図である。なお、このフロー図では、輸送後に梱包を解除する方法も併せて記載している。
【００５３】
１）リアプロジェクタ１の最終組立工程において、ミラーケース２１の内部が見える段階で、シート状の緩衝体８０を設置する（Ｓ１）。
このとき、緩衝体８０が膨張後、反射ミラー保持面８０Ａ及びスクリーン保持面８０Ｂが各々反射ミラー２Ａ及びスクリーン２Ｂにきちんと付勢できるよう設置場所及び設置方向を確認する。なお、後で、空気注入用のホースノズル９を接続するので、開口２１３Ａからの距離も所定の位置かどうかを確認する。
【００５４】
２）リアプロジェクタ１の筐体を最終的に組み立てる（Ｓ２）。
３）筐体組立完了後、リアプロジェクタ１の電源を投入し、所定の画質検査を行う（Ｓ３）。
４）開口２１３Ａを覆っているカバー部材２１３Ｂを外す（Ｓ４）。
５）開口２１３Ａを介して加圧空気注入用のホースノズル９をバルブ８１に接続する（Ｓ５）。
６）加圧空気をバルブを介して緩衝体８０に注入する（Ｓ６）。
７）緩衝体８０が、ミラーケース２１の内部空間全体に膨張した段階で空気の注入を停止して、バルブを封止する（Ｓ７）。
８）カバー部材２１３Ｂで開口２１３Ａを覆う（Ｓ８）。
【００５５】
以下に、梱包の解除方法を詳述する。なお、緩衝体８０内部の空気を吸引する吸引装置としては種々あるが、入手が容易な真空掃除機が好適である。
９）開口２１３Ａを覆っているカバー部材２１３Ｂを外す（Ｓ９）。
１０）吸引装置のノズルを開口２１３Ａを通して緩衝体８０のバルブに差し込む（Ｓ１０）。
１１）吸引装置により緩衝体８０内部の空気の吸引する（Ｓ１１）。
１２）緩衝体８０が当初の大きさに近い状態まで収縮した段階で吸引を停止する（Ｓ１２）。
１３）緩衝体８０を開口２１３Ａから取り出す（Ｓ１３）。
１４）カバー部材２１３Ｂで開口２１３Ａを覆う（Ｓ１４）。
【００５６】
以上のような本実施形態の梱包構造によれば、リアプロジェクタ１は、膨張した緩衝体８０によって、反射ミラー２Ａやスクリーン２Ｂが保護されることになる。さらに、膨張後の緩衝体８０の弾性力により付勢されるため、輸送中に、例えば外力や振動が加えられたとしても、プロジェクタ１内で揺動することはない。それにより、梱包された状態での安定性が確保され、その結果、プロジェクタ１の揺動による反射ミラー２Ａやスクリーン２Ｂの損傷を確実に防止できる。
【００５７】
膨張後の緩衝体８０は、反射ミラー２Ａ及びスクリーン２Ｂの形状に応じた構造部分として、反射ミラー保持面８０Ａ及びスクリーン保持面８０Ｂを備えているため、きめ細かい保護を行うことができる。すなわち、反射ミラー２Ａ及びスクリーン２Ｂの表面全体を、輸送時の振動や衝撃から確実に保護できる。
【００５８】
また、緩衝体８０の膨張の度合を、注入する空気の量によって調整でき、したがって、リアプロジェクタの機種ごとに大きさの異なる空隙に、少ない種類の緩衝体で対応することができる。また、例えば、空気を最大限、注入したときの緩衝体の大きさを、最も大きな空隙が形成される機種に合うように設定すれば、１種類の緩衝体を用意するだけでよい。その結果、機種ごとに専用の緩衝体を準備することが不要になるため、コストを削減することができる。
【００５９】
緩衝体８０は、空気を注入していない空の状態では、非常にコンパクトになるので、例えば平面的に積み重ねた状態で緩衝体８０を保管することができ、それにより、梱包に使用する前に必要な保管スペースを大幅に削減することができる。
また、空気が注入され、膨張した緩衝体８０は、それと同じ容積の従来のダンボール製等の緩衝体と比較して軽量であるので、梱包後のリアプロジェクタ１の取扱い性を向上させることができる。
【００６０】
また、緩衝体８０はバルブ８１を備えており、ホースノズル９を接続するだけで、空気の注入が可能になる。また、材料が低密度ポリエチレン（ＬＤＰＥ）であり、空気注入後は、容易に熱封止ができる。このように単純な操作で、緩衝体８０を膨張させることができ、その状態を維持できるので、緩衝体として使い勝手よく用いることができる。
【００６１】
また、緩衝体８０は、安価な低密度ポリエチレン（ＬＤＰＥ）によって構成されているので、他のダンボール製等の緩衝体と比較して、コストを削減することができる。
さらに、輸送後には、内部の空気を抜けば、体積が激減するため、作業員が梱包の解除後に持ち帰ることが容易である。また、緩衝体８０をリアプロジェクタ１から除去することで、投写レンズ４６からスクリーン２Ｂに至る投写光の光路Ｌ内に緩衝体８０が残らず、リアプロジェクタを正常に使用することが可能となる。
なお、必ずしも専門の作業員が梱包を解除する必要はなく、リアプロジェクタ１を購入した需要者自身が梱包を解除することも容易である。
【００６２】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易に
するために例示的に記載したものであり、本発明を限定するものではないから、それらの
形状、材質などの限定の一部若しくは全部の限定を外した部材の名称での記載は、本発明
に含まれるものである
【００６３】
例えば、本実施形態では、緩衝体８０を一つだけ用いたが、複数個の緩衝体を用いてもよい。また、その際は、各緩衝体を互いに連結して、この連結部分を介して内部空気が相互に連通した状態としてもよい。
本実施形態では、緩衝体８０には外部から加圧空気を送り込むこととしたが、この緩衝体８０に膨張機構を設けてあってもよい。例えば小型の炭酸ガスボンベを内在させた緩衝体８０をリアプロジェクタ１に設置して、適当な手段で緩衝体８０を膨張させてもよい。
【産業上の利用可能性】
【００６４】
本発明は、リアプロジェクタを輸送する際の梱包構造として好適に利用することができる。
【図面の簡単な説明】
【００６５】
【図１】本発明の一実施形態に係るリアプロジェクタを正面側から見た斜視図。
【図２】前記実施形態におけるリアプロジェクタを背面側から見た斜視図。
【図３】前記実施形態におけるリアプロジェクタを左側から見た側面図。
【図４】前記実施形態における上部キャビネットの内部構成を示す斜視図。
【図５】前記実施形態における下部キャビネットの内部構成を示す斜視図。
【図６】前記実施形態における光学ユニットの光学系を示す模式図。
【図７】前記実施形態におけるリアプロジェクタの梱包構造を示す側面図。
【図８】前記実施形態におけるリアプロジェクタの梱包方法を示すフロー図。
【符号の説明】
【００６６】
１…リアプロジェクタ、２…上部キャビネット、２Ａ…反射ミラー、２Ｂ…スクリーン、８…梱包構造、９…ホースノズル、２１…ミラーケース、８０…緩衝体、８０Ａ…反射ミラー保持面、８０Ｂ…スクリーン保持面、８１・・・バルブ、２１３Ａ…開口、２１３Ｂ…カバー部材。
【図１】
2006208813.tif 000003
【図２】
2006208813.tif 000004
【図３】
2006208813.tif 000005
【図４】
2006208813.tif 000006
【図５】
2006208813.tif 000007
【図６】
2006208813.tif 000008
【図７】
2006208813.tif 000009
【図８】
2006208813.tif 000010